(57)【要約】【課題】蓄電池を効率よく充電すること。【解決手段】実施形態に係る蓄電システムは、蓄電池と、管理装置とを具備する。蓄電池は、電力の充電および放電を行う。管理装置は、発電装置によって発電される発電電力が宅内の消費電力を上回った場合における発電電力と消費電力との差分である余剰電力が閾値を超えた場合に、余剰電力を用いて蓄電池の充電を開始する。【選択図】図２
2019176580.tif 000002
【特許請求の範囲】
【請求項１】
電力の充電および放電を行う蓄電池と；
発電装置によって発電される発電電力が宅内の消費電力を上回った場合における前記発電電力と前記消費電力との差分である余剰電力が閾値を超えた場合に、前記余剰電力を用いて前記蓄電池の充電を開始する管理装置と；
を具備する蓄電システム。
【請求項２】
前記管理装置は、
前記余剰電力が前記閾値以下である場合、前記余剰電力を電力系統へ逆潮させる
請求項１に記載の蓄電システム。
【請求項３】
前記管理装置は、
前記蓄電池の蓄電残量に基づいて前記閾値を変更する
請求項１または２に記載の蓄電システム。
【請求項４】
前記管理装置は、
前記発電電力の履歴と前記消費電力の履歴とに基づいて前記閾値を変更する
請求項３に記載の蓄電システム。
【請求項５】
前記管理装置は、
前記発電電力に影響を与える因子情報に基づいて前記発電電力の推移を予測し、当該発電電力の推移に基づいて前記閾値を変更する
請求項１〜４のいずれか一つに記載の蓄電システム。
【発明の詳細な説明】
【技術分野】
【０００１】
本発明の実施形態は、蓄電システムに関する。
【背景技術】
【０００２】
近年、太陽光発電技術の普及に伴い、一般家庭でも太陽光パネル等の発電設備と蓄電池とを家屋に設置して、発電および充電を行い、電力を利用する蓄電システムが増えている。蓄電システムは、発電設備によって発電された電力が消費電力を上回った場合に、余剰分の電力である余剰電力を蓄電池に充電させる。
【先行技術文献】
【非特許文献】
【０００３】
【非特許文献１】「東芝  電設資材  2017-2018」、［online］、［平成３０年３月２０日検索］、インターネット＜ＵＲＬ：http://page2.cextension.jp/c4089/book/＞
【発明の概要】
【発明が解決しようとする課題】
【０００４】
しかしながら、蓄電池の充電効率は余剰電力によって変動し、余剰電力の電力値が低いほど、充電効率が悪化する。したがって、電力値の低い余剰電力を用いて蓄電池を充電すると余剰電力の損失が大きくなる。
【０００５】
本発明が解決しようとする課題は、蓄電池を効率よく充電することができる蓄電システムを提供することである。
【課題を解決するための手段】
【０００６】
実施形態に係る蓄電システムは、蓄電池と、管理装置とを具備する。蓄電池は、電力の充電および放電を行う。管理装置は、発電装置によって発電される発電電力が宅内の消費電力を上回った場合における発電電力と消費電力との差分である余剰電力が閾値を超えた場合に、余剰電力を用いて蓄電池の充電を開始する。
【発明の効果】
【０００７】
本発明によれば、蓄電池を効率よく充電することができる。
【図面の簡単な説明】
【０００８】
【図１】図１は、実施形態に係る蓄電システムの構成例を示す図である。
【図２】図２は、実施形態に係る管理装置のブロック図である。
【図３】図３は、余剰電力を説明する図である。
【図４】図４は、閾値と蓄電残量との関係を示す図である。
【図５】図５は、蓄電電力量と閾値との関係を示す図である。
【図６】図６は、実施形態に係る管理装置が実行する処理手順を示すフローチャートである。
【発明を実施するための形態】
【０００９】
以下で説明する実施形態に係る蓄電システム１は、蓄電池３０と、管理装置３３とを具備する。蓄電池３０は、電力の充電および放電を行う。管理装置３３は、太陽光パネル２１（発電装置の一例）によって発電される発電電力Ｖ１が宅内の消費電力Ｖ２を上回った場合における発電電力Ｖ１と消費電力Ｖ２との差分である余剰電力Ｖ３が閾値Ｔｈを超えた場合に、余剰電力Ｖ３を用いて蓄電池３０の充電を開始する。
【００１０】
また、以下で説明する管理装置３３は、余剰電力Ｖ３が閾値Ｔｈ以下である場合、余剰電力を電力系統１１へ逆潮させる。
【００１１】
また、以下で説明する管理装置３３は、蓄電池３０の蓄電残量に基づいて閾値Ｔｈを変更する。
【００１２】
また、以下で説明する管理装置３３は、発電電力の履歴と消費電力の履歴とに基づいて閾値Ｔｈを変更する。
【００１３】
また、以下で説明する管理装置３３は、発電電力に影響を与える因子情報に基づいて発電電力の推移を予測し、当該発電電力の推移にもとづいて閾値を変更する。
【００１４】
以下、図面を参照して、実施形態に係る蓄電システム１について説明する。実施形態において同一の部位には同一の符号を付し、重複する説明は省略される。
【００１５】
（実施形態）
まず、図１を用いて、実施形態に係る蓄電システム１のシステム構成について説明する。図１は、実施形態に係る蓄電システム１のシステム構成を示す図である。なお、図１に示す蓄電システム１のシステム構成は一例であってこれに限定されるものではない。
【００１６】
図１に示す例では、蓄電システム１は、ユーザ（需要家）の住宅ＨＭに設けられ、蓄電池３０を所定の電力系統１１から供給される電力や太陽光パネル２１により生成された電力により充電したり、蓄電池３０を充電した電力を負荷である機器１４ａ，１４ｂ，１５ａ，１５ｂへ供給したりする。
【００１７】
図１、２に示すように、蓄電システム１は、少なくとも蓄電池３０と、管理装置３３を具備しており、その他蓄電池用分電盤１３、住宅用分電盤１２、ホームゲートウェイＧＷ、太陽光パネル２１、第１パワーコンディショナ２２等が含まれてもよい。なお、管理装置３３（図２参照）は一例として蓄電池３０内に設けられる場合について以下説明を行うが、ホームゲートウェイＧＷ、宅外のサーバ、その他任意の場所に設置された機器が管理装置の機能を具備し、蓄電システム１を構成してもよい。
【００１８】
また、蓄電システム１は、ホームゲートウェイＧＷを経由して図示しないネットワークに接続可能である。また、蓄電システム１は、かかるネットワークによりＥＭＳ（エネルギーマネジメントシステム）クラウドやアグリゲータ等の外部のサーバＳＶ（以下、サーバＳＶと記載する）との間で情報の送受信が可能である。
【００１９】
なお、ここでいうＥＭＳクラウドとしてのサーバＳＶとは、需要家の電力需要を束ねて効果的にエネルギーマネジメントサービスを提供するサーバであり、蓄電システム１から各種情報を収集し、収集した情報を基に、電力消費量を把握し節電を支援するサービスや、電力売買、送電サービス、その他のサービスを行っている。また、アグリゲータとしてのサーバＳＶは、各蓄電システム１から各種情報を収集し、充放電による制御を行うことで電力需給を調整する。なお、サーバＳＶがアグリゲータである場合には、サーバＳＶが電力会社を兼ねてもよい。
【００２０】
例えば、図１において、各構成間を結ぶ実線は電気的な接続関係を示し、各構成間を結ぶ点線は情報の送受信が可能な接続関係を示す。なお、蓄電システム１の各構成の接続関係は図１に示した接続関係に限らず、他の接続関係であってもよい。例えば、実線で結ばれた各構成間において情報の送受信が可能であってもよいし、点線で結ばれた各構成間において電気的な接続関係があってもよい。
【００２１】
蓄電池３０は、電力を蓄電するためのバッテリ（二次電池）である。蓄電池３０は、電力系統１１から供給される電力や太陽光パネル２１により生成された電力により充電される。蓄電池３０に蓄電された電力は、蓄電池用分電盤１３や住宅用分電盤１２を経由して住宅ＨＭ内の機器１４ａ，１４ｂ，１５ａ，１５ｂに供給される。
【００２２】
例えば、蓄電池３０は、蓄電池用分電盤１３を経由して機器１４ａ，１４ｂ，１５ａ，１５ｂのうち選定負荷の機器１５ａ，１５ｂに電力を供給する。また、例えば、蓄電池３０は、住宅用分電盤１２を経由して機器１４ａ，１４ｂ，１５ａ，１５ｂのうち一般負荷の機器１４ａ，１４ｂに電力を供給する。例えば、蓄電池３０は、停電時においては、蓄電池用分電盤１３を経由して選定負荷の機器１５ａ，１５ｂのみに電力を供給する。
【００２３】
蓄電池用分電盤１３および住宅用分電盤１２は、住宅ＨＭの配線に電気を分ける装置である。例えば、蓄電池用分電盤１３および住宅用分電盤１２は、漏電遮断器や配線用遮断器等の種々の機器を含む。例えば、蓄電池用分電盤１３は、電力系統１１や蓄電池３０から供給される電力を住宅ＨＭの選定負荷の機器１５ａ，１５ｂに供給したりする。また、例えば、住宅用分電盤１２は、電力系統１１や蓄電池３０から供給される電力を住宅ＨＭの一般負荷の機器１４ａ，１４ｂに供給したりする。
【００２４】
ホームゲートウェイＧＷは、サーバＳＶと住宅ＨＭ内の各装置、すなわち蓄電システム１の各装置との間の情報の送受信を可能にするネットワーク機器である。なお、ホームゲートウェイＧＷとサーバＳＶとの間に、所定の中継機器（例えばブロードバンドルータ）等が設けられる場合があるが、図１においては説明を省略する。また、ホームゲートウェイＧＷは、蓄電システム１の各装置間の情報の送受信を可能にする。例えば、ホームゲートウェイＧＷは、第１パワーコンディショナ２２とサーバＳＶとの間の情報の送受信を可能にする。
【００２５】
太陽光パネル２１は、例えば、太陽電池素子（セル）を必要枚数配列し、樹脂や強化ガラスなどによりパッケージ化した太陽電池モジュールであり、ソーラーパネルとも呼ばれる。なお、太陽光パネル２１に用いられるセルは、どのようなセルであってもよい。例えば、太陽光パネル２１に用いられるセルは、シリコン系のセルや化合物系のセルや有機系のセルなど、目的に応じて種々のセルが適宜選択されてもよい。また、太陽光パネル２１は、発電装置の一例であって、太陽光パネル２１に代えて、風力発電等を行うその他の発電装置が住宅ＨＭに設置されることにしてもよい。
【００２６】
太陽光パネル２１は、宅内で消費する電力よりも、太陽光パネル２１によって自家発電された電力が多くなった場合に、その余剰電力を電力系統１１に戻し売電する。また、蓄電池３０は、宅内での消費電力Ｖ２が上昇した場合等には、電力系統１１側から供給される電力量のピーク値を軽減するために、蓄電した電力を機器１４ａ，１４ｂ，１５ａ，１５ｂに供給してもよい。
【００２７】
宅内の消費電力Ｖ２は、任意の電流検出センサであるセンサ１０の検出値を用いて、検出した電流検と電圧とから消費電力を算出することができる。例えば、図１に示すようにセンサ１０は電力系統１１から宅内に供給される合計の電流を計測するために、例えば住宅用分電盤１２の１次側を計測してもよい。
【００２８】
この場合には、センサ１０の検出値と電圧とから宅内の消費電力を算出することができる。なお、センサ１０が住宅用分電盤１２の１次側を計測する場合に、住宅用分電盤１２に太陽電池や燃料電池等の分散電源からの電力が供給されるときは、住宅用分電盤１２の１次側を計測した値及び分散電源（図１では第１パワーコンディショナ２２）から供給される値を計測し、住宅用分電盤１２の１次側に供給される値と分散電源から供給される値との和を用いて宅内の消費電力Ｖ２を算出することができる。
【００２９】
また、センサ１０は住宅用分電盤１２の２次側に出力される値を用いて宅内の消費電力Ｖ２を算出してもよい。なお、消費電力Ｖ２の算出は、任意の箇所で行うことができ、例えば、図１に示すようにセンサ１０の検出値を取得した蓄電池３０が行ってもよいし、住宅用分電盤１２内または別置した計測ユニット（図示しない）がセンサ１０の検出値を用いて行ってもよい。
【００３０】
第１パワーコンディショナ２２は、パワコン、ＰＣＳ（Power  Conditioning  System）とも称される装置であって、太陽光パネル２１から接続箱（図示せず）を経由して供給される電力を住宅ＨＭ内の機器１４ａ，１４ｂ，１５ａ，１５ｂなどで利用可能にする装置である。例えば、第１パワーコンディショナ２２は、太陽光パネル２１から接続箱を経由して供給される直流電力を交流電力に変換する。また、例えば、第１パワーコンディショナ２２は、直流電力をそのまま蓄電池３０への充電に利用してもよいし、交流電力に変換した後、電力を住宅ＨＭ内での利用や、電力系統１１への売電などに対応する出力に調整する。
【００３１】
ところで、従来技術では、太陽光パネルによって発電された発電電力が宅内の消費電力を上回った場合における発電電力と消費電力との差分である余剰電力が発生した場合に、余剰電力を用いて蓄電池へ充電していた。
【００３２】
しかしながら、余剰電力の電力値が所定値以下である場合に、かかる余剰電力を用いて蓄電池に充電すると、余剰電力に対して損失する電力の割合が大きくなり、蓄電池の充電効率が低下する。
【００３３】
そこで、実施形態に係る蓄電システム１では、余剰電力が閾値を超えた場合に、余剰電力を用いて蓄電池３０の充電を開始することで、蓄電池３０を効率よく充電することとした。また、実施形態に係る蓄電システム１では、上記の閾値を蓄電池３０の蓄電残量等に応じて変更させることとも可能である。かかる点の詳細について説明する。
【００３４】
図２は、実施形態に係る蓄電池３０のブロック図である。図２に示すように、実施形態に係る蓄電池３０は、電池部３１と、第２パワーコンディショナ３２と、管理装置３３とを具備する。
【００３５】
電池部３１は、繰り返し充放電が可能な二次バッテリであり、リチウムイオン電池や鉛電池やニッケル水素電池など、目的に応じて種々の蓄電池が適宜使用される。なお、電池部３１は、電気自動車やプラグインハイブリッド自動車等であってもよい。第２パワーコンディショナ３２は、変換部３２１および切替部３２２を有する。
【００３６】
変換部３２１は、電池部３１へ供給される電力や、電池部３１から機器１４ａ，１４ｂ，１５ａ，１５ｂへ供給される電力を直流電流や交流電流に変換する回路を有する。また、変換部３２１は、電池部３１の電力を電力会社等に売電する場合にも直交変換する。具体的には、変換部３２１は、ＦＥＴ（Field  Effect  Transistor）、コイル、抵抗を有する直流交流変換回路や、電圧の昇圧降圧回路により構成される。
【００３７】
切替部３２２は、電池部３１の充放電を切り替える。例えば、切替部３２２は、後述する管理装置３３による指示に応じて蓄電池用分電盤１３と住宅用分電盤１２との間に設けられたスイッチ素子（例えば、ＦＥＴ等）を制御することで、電池部３１の充放電を切り替える。
【００３８】
実施形態に係る管理装置３３は、通信部３３１と、制御部３３２と、記憶部３３３とを有する。制御部３３２は、取得部３３２ａと、予測部３３２ｂと、設定部３３２ｃと、判定部３３２ｄを有する。記憶部３３３は、発電電力情報３３３ａと、消費電力情報３３３ｂと、閾値情報３３３ｃとを記憶する。
【００３９】
通信部３３１は、例えば、所定の通信回路等によって実現される。例えば、通信部３３１は、サーバＳＶ等と通信可能である。
【００４０】
記憶部３３３は、例えば、ＲＡＭ（Random  Access  Memory）、フラッシュメモリ（Flash  Memory）等の半導体メモリ素子、または、ハードディスク、光ディスク等の記憶装置によって実現される。
【００４１】
制御部３３２は、各種の処理手順などを規定したプログラム及び所要データを格納するための内部メモリを有し、これらによって種々の処理を実行するが、特に本発明に密接に関連するものとしては、取得部３３２ａ、予測部３３２ｂ、設定部３３２ｃおよび判定部３３２ｄを有する。
【００４２】
制御部３３２の取得部３３２ａは、太陽光パネル２１によって発電される発電電力の電力値および宅内の消費電力Ｖ２の電力値を取得する。取得部３３２ａは、発電電力の電力値を記憶部３３３に発電電力情報３３３ａとして格納し、消費電力の電力値を記憶部３３３に消費電力情報３３３ｂとして記憶する。
【００４３】
すなわち、発電電力情報３３３ａは、発電電力の履歴であり、消費電力情報３３３ｂは、消費電力の履歴である。なお、管理装置３３は、発電電力情報３３３ａおよび消費電力情報３３３ｂを外部サーバ（例えば、サーバＳＶ等）から取得することにしてもよい。
【００４４】
予測部３３２ｂは、発電電力情報３３３ａおよび消費電力情報３３３ｂに基づき、発電電力の推移および消費電力の推移を予測する。つまり、予測部３３２ｂは、余剰電力の推移を予測する。また、予測部３３２ｂによって予測された余剰電力の推移は、設定部３３２ｃへ通知される。
【００４５】
図３は、余剰電力を説明する図である。なお、図３では、一日の余剰電力の推移を示す。図３に示すように、余剰電力Ｖ３は、発電電力Ｖ１が消費電力Ｖ２を上回った場合における発電電力Ｖ１と消費電力Ｖ２との差分である。
【００４６】
本実施形態において、発電装置が太陽光パネル２１（図１参照）であるので、昼間に発電電力Ｖ１が増加し、消費電力Ｖ２を上回るため余剰電力Ｖ３が発生する。予測部３３２ｂは、発電電力情報３３３ａから発電電力Ｖ１の推移を予測し、消費電力情報３３３ｂから消費電力Ｖ２の推移を予測する。
【００４７】
具体的には、例えば、予測部３３２ｂは、発電電力情報３３３ａを参照し、太陽光パネル２１の発電傾向を学習する。このとき、予測部３３２ｂは、発電電力Ｖ１へ影響を与える因子情報に基づいて発電電力Ｖ１の推移を予測することも可能である。
【００４８】
ここで、因子情報とは、季節情報、気象情報および位置情報を含む。これは、太陽光パネル２１によって発電される発電電力Ｖ１は、季節や気象条件によって変動するためである。すなわち、季節が夏である場合、季節が冬である場合に比べて、太陽光パネル２１で発電可能な時間が長くなるとともに、発電電力Ｖ１の増加が見込まれる。
【００４９】
また、気象が晴れである場合、雨や曇りである場合に比べて太陽光パネル２１による発電電力Ｖ１の増加が見込まれる。また、蓄電システム１が設置される住宅ＨＭの緯度によっても、太陽光パネル２１による発電電力Ｖ１が変動する。
【００５０】
予測部３３２ｂは、因子情報を例えば、サーバＳＶから取得し、発電電力Ｖ１の推移を補正することとなる。このように、予測部３３２ｂは、因子情報に基づいて発電電力Ｖ１の推移を予測することで、発電電力Ｖ１の推移を精度よく予測することが可能となる。
【００５１】
また、予測部３３２ｂは、例えば、曜日や時刻、気温、天候、季節等の因子に基づき、消費電力Ｖ２の推移を予測する。例えば、休日と平日とでは、ユーザのライフスタイルが変化し、消費電力Ｖ２が異なる。また、気温や季節に応じて使用する季節家電が異なり、消費電力Ｖ２が変動する。
【００５２】
すなわち、予測部３３２ｂは、曜日や時刻、気温、天候、季節等の因子に基づき、消費電力Ｖ２の推移を予測することで、消費電力Ｖ２の推移を精度よく予測することが可能である。
【００５３】
つまり、予測部３３２ｂは、発電電力Ｖ１および消費電力Ｖ２の推移を精度よく予測することで、余剰電力Ｖ３の推移を精度よく推定することが可能である。
【００５４】
図２の説明に戻り、設定部３３２ｃについて説明する。設定部３３２ｃは、余剰電力Ｖ３を用いて電池部３１を充電する際の余剰電力Ｖ３に対する閾値Ｔｈを設定する。つまり、実施形態に係る蓄電システム１では、余剰電力Ｖ３が閾値Ｔｈを超えた場合に、電池部３１へ充電を開始し、余剰電力Ｖ３が閾値Ｔｈ以下である場合、余剰電力Ｖ３を電力系統１１へ逆潮させる。
【００５５】
言い換えれば、充電効率のよい余剰電力Ｖ３が閾値Ｔｈを超える場合に、余剰電力Ｖ３を蓄電池３０の充電に回し、充電効率が劣る余剰電力Ｖ３が閾値Ｔｈ以下である場合、余剰電力Ｖ３を電力会社へ売電する。
【００５６】
これにより、余剰電力Ｖ３を効率よく活用することが可能となる。また、より多くの余剰電力Ｖ３を電力会社へ売電することができるので、需要家は、売電に基づくインセンティブをより多く受け取ることが可能となる。
【００５７】
例えば、設定部３３２ｃは、記憶部３３３の閾値情報３３３ｃを参照し、電池部３１の蓄電残量に基づいて閾値Ｔｈを設定する。図４は、閾値Ｔｈと蓄電残量との関係を示す図であり、閾値情報３３３ｃの具体例に対応する。
【００５８】
図４に示すように、閾値情報３３３ｃは、蓄電残量毎の閾値Ｔｈの値が対応付けられた情報である。具体的には、蓄電残量が多いほど、閾値Ｔｈの値が高くなる。すなわち、図４に示す例では、閾値Ｔｈの値は、ａ＞ｂ＞ｃの関係となる。
【００５９】
つまり、蓄電システム１では、蓄電池３０の蓄電残量が多い程、蓄電池３０の充電効率が多い時間帯にのみ余剰電力Ｖ３を用いて充電を行う。一方、蓄電池３０の蓄電残量が少ない場合には、充電効率が劣る場合でも、余剰電力Ｖ３を用いて蓄電池３０を充電しておくことで、電力系統１１から購入する電力量を抑えることができる。
【００６０】
ところで、蓄電システム１において、各住宅ＨＭで消費する消費電力Ｖ２が異なる。したがって、蓄電池３０に蓄電が必要な電力量が住宅ＨＭ毎に異なることとなる。このため、設定部３３２ｃは、蓄電池３０へ蓄電する電力量（以下、蓄電電力量Ｉと記載する）に応じて閾値Ｔｈを設定することも可能である。
【００６１】
図５は、蓄電電力量Ｉと閾値Ｔｈとの関係を示す図である。図５に示す蓄電電力量Ｉは、余剰電力Ｖ３を積算した値である。例えば、設定部３３２ｃは、蓄電池３０を満充電させる場合、蓄電池３０の電池容量から充電開始前までの蓄電残量を差し引くことで、蓄電池３０へ充電させる充電量を決定する。
【００６２】
設定部３３２ｃは、かかる充電量を蓄電電力量Ｉとした場合に、余剰電力Ｖ３が最も高くなる範囲で蓄電電力量Ｉを決定する。そして、設定部３３２ｃは、かかる蓄電電力量Ｉの開始時刻における余剰電力Ｖ３の値を閾値Ｔｈとして設定する。
【００６３】
つまり、設定部３３２ｃは、蓄電電力量Ｉに基づいて閾値Ｔｈを設定することで、蓄電池３０の充電に必要な余剰電力のみを用いて蓄電池３０を充電することが可能となる。なお、蓄電電力量Ｉは、任意に設定することが可能である。すなわち、夜間の消費電力Ｖ２が少ない場合には、蓄電電力量Ｉを少なくすることで、より多くの余剰電力Ｖ３を売電に回すこともできる。
【００６４】
図２の説明に戻り、判定部３３２ｄについて説明する。判定部３３２ｄは、余剰電力Ｖ３を蓄電池３０の充電に使用するか否かを判定し、判定結果を第２パワーコンディショナ３２の切替部３２２へ通知する。切替部３２２は、かかる判定結果に基づいて電池部３１の充放電を切り替えることとなる。
【００６５】
判定部３３２ｄは、余剰電力Ｖ３を監視し、余剰電力Ｖ３が設定部３３２ｃによって設定された閾値Ｔｈを超えた場合に、余剰電力Ｖ３を蓄電池３０の充電に使用すると判定する。一方、判定部３３２ｄは、余剰電力Ｖ３が閾値Ｔｈ以下である場合、余剰電力Ｖ３を電力系統１１に逆潮させることで、売電すると判定する。
【００６６】
次に、図６を用いて実施形態に係る蓄電システム１が実行する処理手順について説明する。図６は、実施形態に係る蓄電システム１が実行する処理手順を示すフローチャートである。なお、かかる処理手順は、管理装置３３によって繰り返し実行される。
【００６７】
図６に示すように、まず、管理装置３３の設定部３３２ｃは、閾値Ｔｈを設定し（ステップＳ１０１）、判定部３３２ｄは、余剰電力Ｖ３が閾値Ｔｈを超えたか否かを判定する（ステップＳ１０２）。
【００６８】
ここで、判定部３３２ｄは、余剰電力Ｖ３が閾値Ｔｈを超えた場合（ステップＳ１０２，Ｙｅｓ）、余剰電力Ｖ３を用いて蓄電池３０の充電を開始し（ステップＳ１０３）、処理を終了する。
【００６９】
また、判定部３３２ｄは、余剰電力Ｖ３が閾値Ｔｈ以下であった場合（ステップＳ１０２，Ｎｏ）、電力会社に対して余剰電力Ｖ３を売電し（ステップＳ１０４）、処理を終了する。
【００７０】
上述したように、実施形態に係る蓄電システム１は、蓄電池３０と、管理装置３３とを具備する。蓄電池３０は、電力の充電および放電を行う。管理装置３３は、太陽光パネル２１（発電装置の一例）によって発電される発電電力Ｖ１が宅内の消費電力Ｖ２を上回った場合における発電電力Ｖ１と消費電力Ｖ２との差分である余剰電力Ｖ３が閾値Ｔｈを超えた場合に、余剰電力Ｖ３を用いて蓄電池３０の充電を開始する。したがって、実施形態に係る蓄電システム１によれば、蓄電池３０を効率よく充電することができる。
【００７１】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００７２】
１    蓄電システム
１０    センサ
１１    電力系統
１２    住宅用分電盤
１３    蓄電池用分電盤
２１    太陽光パネル（発電装置の一例）
２２    第１パワーコンディショナ
３０    蓄電池
３１    電池部
３２    第２パワーコンディショナ
３３    管理装置
Ｔｈ    閾値
Ｖ１    発電電力
Ｖ２    消費電力
Ｖ３    余剰電力
Ｉ    蓄電電力量
【図１】
2019176580.tif 000003
【図２】
2019176580.tif 000004
【図３】
2019176580.tif 000005
【図４】
2019176580.tif 000006
【図５】
2019176580.tif 000007
【図６】
2019176580.tif 000008